(57)【要約】【課題】  一方の筐体に撮像部を搭載した折り畳み型の携帯電子機器において、撮像部が大型化しても筐体の大型化を抑制できるようにする。【解決手段】  厚さ方向に対向可能な第１の筐体２と第２の筐体とを有し、第１の筐体２の一端部には、その対向面２ｂから突出する突出部１１を有すると共に、第２の筐体の一端部には、突出部１１が配される凹状の切欠部を備え、突出部１１が前記厚さ方向に直交する回転軸線Ｌを中心に切欠部内で回転可能に連結された携帯電子機器であって、突出部１１には、第１の筐体２の内部空間に連通する内部空間が形成され、第１の筐体２の内部空間に、突出部１１と前記厚さ方向に重なる位置に配されると共に、対向面２ｂの反対側に位置する第１の筐体２の外面２ｃから外方に向いた撮像部９を備える携帯電子機器を提供する。【選択図】  図３
2006203426.tif 000002
【特許請求の範囲】
【請求項１】
厚さ方向に対向可能な第１の筐体と第２の筐体とを有し、前記第１の筐体の一端部には、その対向面から突出する突出部を有すると共に、前記第２の筐体の一端部には、前記突出部が配される凹状の切欠部を備え、前記突出部が前記厚さ方向に直交する回転軸線を中心に前記切欠部内で回転可能に連結された携帯電子機器であって、
前記突出部と前記厚さ方向に重なる位置に配されると共に、前記対向面の反対側に位置する前記第１の筐体の外面に向いた撮像部を備えることを特徴とする携帯電子機器。
【請求項２】
前記突出部には、前記第１の筐体の内部空間に連通する内部空間が形成され、
前記突出部の内部空間に、該突出部の内部に嵌合し、前記撮像部を前記厚さ方向に支持する支持面を有する位置決め部材を備えることを特徴とする請求項１に記載の電子機器。
【請求項３】
前記位置決め部材の少なくとも一部が、前記第１の筐体の外方に露出することを特徴とする請求項２に記載の電子機器。
【請求項４】
前記切欠部が、前記第２の筐体の一端部を形成する一対の凸部により構成され、
これら各凸部と前記突出部とにわたって挿通され、前記回転軸線方向に並べて配される２つの連結部を備え、
少なくとも一方の連結部に、前記回転軸線方向に貫通する貫通孔が形成されていることを特徴とする請求項１から請求項３のいずれか１項に記載の電子機器。
【請求項５】
前記切欠部が、前記第２の筐体の一端部を形成する一対の凸部により構成され、
これら各凸部と前記突出部とにわたって挿通され、前記回転軸線方向に並べて配される２つの連結部を備え、
前記位置決め部材が、前記回転軸線上に位置する前記２つの連結部の間に配されると共に、少なくとも一方の連結部の移動を規制していることを特徴とする請求項１から請求項３のいずれか１項に記載の電子機器。
【請求項６】
前記厚さ方向に交わる方向に配置し、前記撮像部の周囲に当接して支持すると共に、前記第１の筐体に固定された保持部を備えることを特徴とする請求項１から請求項５のいずれか１項に記載の電子機器。
【請求項７】
前記保持部が、導電性を有することを特徴とする請求項６に記載の電子機器。
【発明の詳細な説明】
【技術分野】
【０００１】
本発明は、２つの筐体を相互に折り畳み可能に連結した携帯電話機、ＰＤＡ（Personal Digital Assistants）等の携帯電子機器に関する。
【背景技術】
【０００２】
従来、携帯電話機、ＰＤＡ等の携行可能な携帯電子機器には、重ね合わせ可能な２つの筐体の厚さ方向に直交して延びる連結部により、２つの筐体を相互に揺動させて折り畳み可能に連結した折り畳み型のものがある（例えば、特許文献１参照。）。この種の携帯電子機器を構成する一方の筐体内部にはカメラモジュール（撮像部）が収容されている。近年、このカメラモジュールには、オートフォーカス機能、マクロ機能、ズーム機能等の各種撮影機能を備えたものがあり、これら撮影機能の増加にともなってカメラモジュールのサイズは大型化する傾向にある。
【０００３】
一方、厚さ方向に重ね合わせ可能な２つの筐体を、前記厚さ方向に延びる連結部により２つの筐体を相互に揺動可能に連結した携帯電子機器にカメラモジュールを搭載したものもある（例えば、特許文献２参照。）。この携帯電子機器では、カメラモジュールが連結部内部に配されている。すなわち、カメラモジュールが２つの筐体にわたって配することができ、カメラモジュールの大型化に対応できるようになっている。
【特許文献１】特開２００４−３２２７１号公報
【特許文献２】特開２００４−２６０２７７号公報
【発明の開示】
【発明が解決しようとする課題】
【０００４】
近年、携帯電子機器には、容易に持ち運びができるように、筐体の小型化や薄型化の要求が高まっているが、折り畳み型の携帯電子機器では、いずれか一方の筐体にカメラモジュールを収容する必要があるため、カメラモジュールの大型化に対応することができないという問題がある。すなわち、カメラモジュールの大型化にともなって筐体を大きくする必要があるため、折り畳み型の携帯電子機器の小型化を図ることができないという問題がある。
【０００５】
この発明は、上述した事情に鑑みてなされたものであって、撮像部が大型化しても筐体の大型化を抑制できる折り畳み型の携帯電子機器を提供することを目的とするものである。
【課題を解決するための手段】
【０００６】
上記目的を達成するために、この発明は以下の手段を提案している。
本発明に係る携帯電子機器は、厚さ方向に重ね合わせ可能な第１の筐体と第２の筐体とを有し、前記第１の筐体の一端部には、その対向面から突出する突出部を有すると共に、前記第２の筐体の一端部には、前記突出部が配される凹状の切欠部を備え、前記突出部が前記厚さ方向に直交する回転軸線を中心に前記切欠部内で回転可能に連結された携帯電子機器であって、前記突出部には、前記第１の筐体の内部空間に連通する内部空間が形成され、前記第１の筐体の内部空間に、前記突出部と前記厚さ方向に重なる位置に配されると共に、前記対向面の反対側に位置する前記第１の筐体の外面から外方に露出する撮像部を備えることを特徴とする。
なお、対向面とは、２つの筐体を相互に重ね合わせて閉じた状態において、相互に対向する各筐体の面を示している。
【０００７】
また、本発明に係る携帯電子機器は、前記突出部の内部に嵌合し、前記撮像部を前記厚さ方向に支持する支持面を有する位置決め部材を備えることを特徴とする。
さらに、本発明に係る携帯電子機器は、前記位置決め部材の少なくとも一部が、前記第１の筐体の外方に露出することを特徴とする。
【０００８】
また、本発明に係る携帯電子機器は、前記切欠部が、前記第２の筐体の一端部を形成する一対の凸部により構成され、これら各凸部と前記突出部とにわたって挿通され、前記回転軸線方向に並べて配される２つの連結部を備え、少なくとも一方の連結部に、前記回転軸線方向に貫通する貫通孔が形成されていることを特徴とする。
さらに、本発明に係る携帯電子機器は、前記切欠部が、前記第２の筐体の一端部を形成する一対の凸部により構成され、これら各凸部と前記突出部とにわたって挿通され、前記回転軸線方向に並べて配される２つの連結部を備え、前記位置決め部材が、前記回転軸線上に位置する前記２つの連結部の間に配されると共に、少なくとも一方の連結部に当接していることを特徴とする。
【０００９】
また、本発明に係る携帯電子機器は、前記厚さ方向に直交する前記撮像部の周囲に当接して支持すると共に、前記第１の筐体に固定された保持部を備えることを特徴とする。
さらに、本発明に係る携帯電子機器は、前記保持部が、導電性を有することを特徴とする。
【発明の効果】
【００１０】
本発明によれば、第１の筐体の内部空間のうち、突出部と第１の筐体の厚さ方向に重なる位置に撮像部９を配することにより、第１の筐体の内部空間だけではなく、突出部の内部空間にも撮像部を挿入することができる。このため、撮像部の大きさに合わせて第１の筐体の厚さ寸法を変更することなく、撮像部を第１の筐体内部に搭載することが可能となると共に、第１の筐体を汎用的に使用することが可能となる。以上のことから、撮像部が大型化しても第１の筐体の大型化を防止することができる。
【発明を実施するための最良の形態】
【００１１】
図１から図５は本発明に係る一実施形態を示しており、ここで説明する実施の形態は、この発明を携帯電話機に適用した場合のものである。
図１，２に示すように、携帯電話機（携帯電子機器）１は、平面視略矩形状に形成された第１の筐体２と、この第１の筐体２の厚さ方向に重ね合わせ可能な平面視略矩形状の第２の筐体３とを、各筐体２，３の長手方向の一端部２ａ，３ａに位置する回転軸線Ｌを中心に回動可能とし、折り畳み可能に連結して構成されている。なお、回転軸線Ｌは、各筐体２，３の厚さ方向に直交する方向に延びるものである。
【００１２】
第１の筐体２の内部には、各種情報を表示する液晶ディスプレイや有機ディスプレイ等のメイン表示部５及びサブ表示部７と、被写体を撮影するための撮像部９とが設けられている。メイン表示部５は、２つの筐体２，３を相互に重ね合わせて閉じた状態で第２の筐体３に対向する第１の筐体２の対向面２ｂから外方に露出している。サブ表示部７及び撮像部９は、対向面２ｂの反対側に位置する第１の筐体２の外面２ｃから、２つの筐体２，３の開閉状態に関わらず外方に向いている。
また、この第１の筐体２の対向面２ｂには、この対向面２ｂから突出する突出部１１が一体的に形成されている。この突出部１１は、第２の筐体３との連結部分に位置する第１の筐体２の一端部２ａに配されており、内部は空洞となっている。この突出部１１の内部空間は、第１の筐体２の内部空間と繋げて形成されている。
【００１３】
第２の筐体３は、各種情報を入力する操作部１３を有すると共に、第１の筐体２の突出部１１を収容する平面視略コ字状の切欠部１５を有している。操作部１３は、２つの筐体２，３を相互に重ね合わせて閉じた状態で第１の筐体２に対向する第２の筐体３の対向面３ｂに配されており、通話キー、終話キー等、各種の押圧可能な複数の操作キーから構成されている。また、切欠部１５は、第１の筐体２との連結部分に位置する第２の筐体３の一端部３ａの中央に形成されている。そのため、第２の筐体３の一端部３ａの両側には、切欠部１５の底面１５ａから一端部３ａ側に突出する一対の凸部１７を備えている。
【００１４】
各筐体２，３の長手方向の他端部２ｄ，３ｄに位置する対向面２ｂ，３ｂには、通話用のスピーカの開口部２ｅ及び通話用のマイクロフォンの開口部３ｅが形成されている。
なお、この第１の筐体２は、第１の筐体２の対向面２ｂ側を構成するフロントケース１９、及び、第１の筐体２の外面２ｃ側を構成するリアケース２１を備えている。これらフロントケース１９及びリアケース２１は、互いに第１の筐体２の厚さ方向に結合可能となっている。
【００１５】
図３に示すように、第１の筐体２の突出部１１と第２の筐体３の各凸部１７との間には、軸体（連結部）２３及びヒンジユニット（連結部）２５が挿通されており、これら軸体２３及びヒンジユニット２５は外方に露出することがない。
すなわち、各凸部１７に対向して配される突出部１１の２つの端面壁部１１ａ，１１ｂ、及び、各端面壁部１１ａ，１１ｂに対向する各凸部１７の側壁部１７ａ，１７ｂには、それぞれ貫通孔１１ｃ，１１ｄ，１７ｃ，１７ｄが形成されている。そして、突出部１１の一方の貫通孔１１ｃから一方の凸部１７の貫通孔１７ｃにわたって軸体２３が挿通されている。また、突出部１１の他方の貫通孔１１ｄから他方の凸部１７の貫通孔１７ｄにわたってはヒンジユニット２５が挿通されている。
【００１６】
これら軸体２３及びヒンジユニット２５は回転軸線Ｌ上に並べて配置されており、軸体２３及びヒンジユニット２５により２つの筐体２，３を相互に回動可能に連結している。
軸体２３には、回転軸線Ｌ方向に貫通する貫通孔２３ａが形成されており、この貫通孔２３ａ及び突出部１１の内部空間を介して２つの筐体２，３の内部空間が相互に連通されることになる。この貫通孔２３ａには、各筐体２，３の内部に設けられるメイン表示部５、サブ表示部７、撮像部９等の電子部品や回路基板（不図示）を相互に電気接続する配線２７が挿通されている。
【００１７】
撮像部９は、図２〜４に示すように、第１の筐体２の内部空間のうち、突出部１１と第１の筐体２の厚さ方向に重なる位置に配されており、第１の筐体２の内部から外面２ｃに貫通する開口部２ｆを介して外方に向いている。
この撮像部９には、その撮影モードを通常撮影モードと接写撮影モードとに切り換える切換レバー２７が、撮像部９の外周面９ａから第１の筐体２の一端部２ａ側に位置する第１の筐体２の端面２ｇ側に突出して設けられている。
撮像部９の通常撮影モードは、撮像部９から被写体までの距離が比較的遠い場合に使用するものであり、例えば、撮像部９からの距離が４００ｍｍから無限大にある被写体に焦点を合わせることができる撮影モードである。また、接写撮影モードは、撮像部９から被写体までの距離が比較的近い場合に使用するものであり、例えば、撮像部９からの距離が約１００ｍｍにある被写体に焦点を合わせることができる撮影モードである。
この切換レバー２７は、第１の筐体２の端面２ｇから外方に露出するスライドノブ２９に連結されており、このスライドノブ２９を回転軸線Ｌ方向に移動させることにより、２つの撮影モードに切り換えることができる。
【００１８】
この撮像部９は、突出部１１の内部空間に配される位置決め部材３１により第１の筐体２の厚さ方向に支持されている。位置決め部材３１は、本体部３３と、本体部３３に連結される外装壁部３５とを備えている。
本体部３３は、突出部１１の内部に嵌合して固定されており、この固定状態において、第１の筐体２の厚さ方向に面する本体部３３の一端面（支持面）３３ａが、対向面２ｂの反対側に位置するフロントケース１９の内面１９ａと略同一平面を形成している。この一端面３３ａは、撮像部９の下面９ｂに当接しており、撮像部９が第１の筐体２の内部において厚さ方向に移動することを規制している。
【００１９】
なお、本実施形態においては、撮像部９を第１の筐体２の厚さ方向に支持する位置決め部材３１の一端面３３ａは、フロントケース１９の内面１９ａと略同一平面を形成するとしたが、これに限ることはなく、少なくとも撮像部９の厚さ方向への移動を規制するように、撮像部９に当接していればよい。すなわち、位置決め部材３１の一端面３３ａは、撮像部９の高さ寸法に合わせてその位置を変えるとしても構わない。例えば、第１の筐体２の厚さ方向に関する撮像部９の高さ寸法が内部空間の厚さ寸法よりも大きい場合には、位置決め部材３１の一端面３３ａを突出部１１の内部空間に位置させればよい。
【００２０】
また、この本体部３３は、前述の固定状態において、回転軸線Ｌ上に位置する軸体２３及びヒンジユニット２５の間に配され、回転軸線Ｌに略直交する本体部３３の一方の側壁面３３ｂが、ヒンジユニット２５に当接している。なお、本体部３３の他方の側壁面３３ｃは、軸体２３との間に配線２７を挿通させるための隙間を介して位置している。
外装壁部３５は、平面視略矩形の板状に形成されており、第１の筐体２の端面２ｇと突出部１１の外周面１１ｅとの間に配され、第１の筐体２の端面２ｇ側から外方に露出している。この外装壁部３５は、本体部３３を突出部１１の内部空間に固定した状態において、第１の筐体２の端面２ｇにつながる突出部１１の外周面１１ｅに形成された凹部１１ｆに挿入される。そして、第１の筐体２の外方に露出する外装壁部３５の表面３５ａは、第１の筐体２の端面２ｇ及び突出部１１の外周面１１ｅと滑らかにつながるように形成されている。
【００２１】
そして、この外装壁部３５には、切換レバー２７に連結されたスライドノブ２９を挿通させるための凹部３５ｂも形成されている。
ここで、前述のように撮像部９の高さ寸法が異なると、切換レバー２７の位置も第１の筐体２の端面２ｇ側に対して厚さ方向に変わる場合があるが、この場合には、前述した外装壁部３５の凹部３５ｂの位置を変更したり、外装壁部３５に別途貫通孔を形成すればよい。すなわち、突出部１１に別途加工を施すことなく、位置決め部材３１の形状のみを変更することで、切換レバー２７やスライドノブ２９の位置変更に対応することができる。
【００２２】
また、一端部２ａに位置する第１の筐体２の内部には、前述した撮像部９を収容する保持部３７が設けられている。保持部３７は、フロントケース１９の内面１９ａに配した状態において、内面１９ａ側から第１の筐体２の厚さ方向に突出するリアケース１９の側壁部１９ｂやリブ１９ｃに当接し、リアケース１９に対して固定されるものである。また、この保持部３７は、導電性を有しており、第１の筐体２の内部に配された回路基板４１のグランドパターン（不図示）に電気的に接続されている。
【００２３】
保持部３７には、フロントケース１９の内面１９ａ側から突出して略有底円筒状に形成された撮像部９の収容部３９が形成されている。収容部３９は、位置決め部材３１の一端面３３ａ側に開口しており、撮像部９はこの開口部分から収容部３９内に収容されるようになっている。この収容部３９に撮像部９を配した状態においては、撮像部９の外周面９ａが収容部３９の内周面３９ａに当接して撮像部９を支持している。なお、第１の筐体２の開口部２ｆに対向する収容部３９の底壁部３９ｂには、撮像部９を外方に向けるための開口部３９ｃが形成されている。
以上のことから、収容部３９に撮像部９を配すると共に、保持部３７をフロントケース１９の内面１９ａに配することにより、撮像部９が第１の筐体２の厚さ方向に交わる、若しくは直交する方向に移動することを防止できる。
【００２４】
以上のように構成された携帯電話機１において、撮像部９の取付作業について以下に説明する。
撮像部９を第１の筐体２の内部に取り付ける際には、図５に示すように、はじめに、軸体２３及びヒンジユニット２５を、突出部１１の内部空間から突出部１１及び各凸部１７の貫通孔１１ｃ，１１ｄ，１７ｃ，１７ｄに挿通する。この際には、フロントケース１９の突出部１１に形成された凹部１１ｆにより、突出部１１の内部空間が大きく開口しているため、容易に軸体２３及びヒンジユニット２５を挿通させることができる。
次いで、位置決め部材３１の本体部３３を突出部１１の内部に嵌合して固定すると共に外装壁部３５を凹部１１ｆに挿入し、位置決め部材３１をフロントケース１９に取り付ける。この状態においては、図３に示すように、本体部３３の一方の側壁面３３ｂがヒンジユニット２５に当接することになる。そして、保持部３７撮像部を取り付けた保持部３７をフロントケース１９の内面１９ａに配し、保持部３７をリアケース１９に対して固定する。この状態においては、撮像部９が、第１の筐体２の内部の所定位置に固定されることになる。最後に、フロントケース１９にリアケース２１を結合させて第１の筐体２を構成し、撮像部９の取付作業が終了する。
【００２５】
以上のように構成した携帯電話機１によれば、撮像部９が、第１の筐体２の内部空間のうち、突出部１１と第１の筐体２の厚さ方向に重なる位置に配されるため、第１の筐体２の内部だけではなく、突出部１１の内部空間にも撮像部９を挿入することができる。このため、撮像部９の大きさに合わせて第１の筐体２の厚さ寸法を変更することなく、撮像部９を第１の筐体２内部に搭載することができる。
【００２６】
また、大きさの異なる撮像部９を第１の筐体２の内部に配する際には、撮像部９の大きさに応じて位置決め部材３１や保持部３７のみを交換すればよい、すなわち、例えば、位置決め部材３１の一端面３３ａの位置を変更した位置決め部材３１を用意すればよいため、撮像部９の変更に応じて第１の筐体２の形状を変えることなく、第１の筐体２に対する撮像部９の位置決めを容易に行うことができる。
さらに、撮像部９の大きさの変更にともなって、その切換レバー２７やスライドノブ２９の位置が変わっても、位置決め部材３１の外装壁部３５の形状のみを変更することで、切換レバー２７やスライドノブ２９の位置変更に対応することができる。
以上のことから、撮像部９が大型化しても第１の筐体２を汎用的に使用でき、第１の筐体２の大型化を防止することができる。
【００２７】
また、位置決め部材３１の外装壁部３５を第１の筐体２の外方に露出させることにより、外装壁部３５が第１の筐体２の端面２ｇ及び突出部１１の外周面１１ｅの一部を構成することができるため、位置決め部材３１を交換するだけで第１の筐体２の外観意匠を容易に変更することができる。すなわち、携帯電話機１の外観意匠の設計自由度を高めることが可能となる。
さらに、突出部１１と凸部１７とにわたって配される軸体２３の貫通孔２３ａに配線２７を挿通させることにより、各筐体２，３の内部に設けられるメイン表示部５、サブ表示部７、撮像部９等の電子部品や回路基板４１を相互に電気接続することができる。
【００２８】
また、位置決め部材３１をヒンジユニット２５に当接させることにより、ヒンジユニット２５が突出部１１や凸部１７に対して回転軸線Ｌ方向に移動することを規制して、ヒンジユニット２５が突出部１１の内部側に抜け落ちることを防止できる。
さらに、第１の筐体２の内部に保持部３９を設けることにより、撮像部９が第１の筐体２の厚さ方向に交わる、好ましくは直交する方向に移動することを防止して、第１の筐体２内部の所定位置に撮像部９を容易かつ確実に固定することができる。
【００２９】
また、導電性を有する保持部３７を回路基板４１のグランドパターンに電気接続することにより、撮像部９を外方に露出させる第１の筐体２の開口部２ｆから静電気が導かれても、この静電気を回路基板４１のグランドパターンに逃がすことができる。このため、静電気に基づく撮像部９の誤作動や故障を防止することができる。
【００３０】
なお、上記実施形態においては、携帯電話機１について説明したが、少なくとも２つの筐体を折り畳み自在に連結すると共にいずれか１つの筐体内部に撮像部を備える構成であればよく、例えば、ＰＤＡ、デジタルカメラ等の他の携帯電子機器であっても構わない。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３１】
【図１】この発明の一実施形態に係る携帯電話機を構成する２つの筐体を相互に開いた状態を示す斜視図である。
【図２】図１の携帯電話機において、２つの筐体を相互に閉じた状態を示す斜視図である。
【図３】図２の携帯電話機において、２つの筐体の一端部の概略を示す要部拡大断面図である。
【図４】図１の携帯電話機において、第１の筐体の一端部を示す要部拡大斜視図である。
【図５】図１の携帯電話機において、軸体、ヒンジユニット及び位置決め部材を第１の筐体の突出部に取り付ける前の状態の概略を示す要部拡大正面図である。
【符号の説明】
【００３２】
１  携帯電話機（携帯電子機器）
２  第１の筐体
２ａ，３ａ  一端部
２ｂ，３ｂ  対向面
２ｃ  外面
３  第２の筐体
９  撮像部
１１  突出部
１５  切欠部
１７  凸部
２３  軸体（連結部）
２３ａ  貫通孔
２５  ヒンジユニット（連結部）
３１  位置決め部材
３３ａ  一端面（支持面）
３７  保持部
Ｌ  回転軸線
【図１】
2006203426.tif 000003
【図２】
2006203426.tif 000004
【図３】
2006203426.tif 000005
【図４】
2006203426.tif 000006
【図５】
2006203426.tif 000007